【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
顕微鏡本体を含む顕微鏡と、対象域照明のための対象域光源と、前記顕微鏡が取り付けられているスタンドとを含む装置であって、
前記スタンドは、前記顕微鏡を支持するために配置された複数の支持アームを含み、該支持アームは、室内での前記顕微鏡の位置決めのために調節可能であり、
前記顕微鏡及び前記スタンドの少なくとも１つは、内部の中空空間と、該中空空間から前記室への光通過用通過開口部と、該中空空間内に位置決めされた少なくとも１つの光源とを含み、該少なくとも１つの光源は、前記室内へ付設の前記通過開口部を通して外部に向かって光を放射するために配置されており、
付設の前記通過開口部は、前記少なくとも１つの光源から放射された光が、前記顕微鏡を通して観察される領域とは別に、前記顕微鏡又は前記スタンドの外側表面部を間接的に照明するように備え付けられており、
前記通過開口部は、前記顕微鏡本体又は前記スタンドにおける間隙又は溝穴として定められていること
を特徴とする装置。
【請求項２】
前記中空空間と、前記光通過用通過開口部と、前記少なくとも１つの光源とは、前記顕微鏡及び前記スタンドに各々設けられていること
を特徴とする、請求項１に記載の装置。
【請求項３】
前記少なくとも１つの光源は、放射された光の出力強度及び色の少なくとも１つについて調節可能であること
を特徴とする、請求項１に記載の装置。
【請求項４】
前記少なくとも１つの光源は、放射された光の出力強度及び色の少なくとも１つについて、時間的な経過パターンに応じて自動的に調節可能であること
を特徴とする、請求項３に記載の装置。
【請求項５】
付設の前記通過開口部は、前記室内へ放射された光が、前記顕微鏡が配置されている前記室を間接的に照明するように備え付けられていること
を特徴とする、請求項１に記載の装置。
【請求項６】
前記少なくとも１つの光源は、複数の光源を含むこと
を特徴とする、請求項３に記載の装置。
【請求項７】
複数の通過開口部が設けられており、該複数の通過開口部を通り、前記複数の光源によって放射された光が前記室内へ通過すること
を特徴とする、請求項６に記載の装置。
【請求項８】
前記顕微鏡は、手術用顕微鏡であること
を特徴とする、請求項１に記載の装置。
【請求項９】
前記顕微鏡は、歯科用顕微鏡であること
を特徴とする、請求項１に記載の装置。
【請求項１０】
前記スタンドの前記複数の支持アームは、平行四辺形支持器と、前記中空空間内に配置された複数の光源とを含むこと
を特徴とする、請求項２に記載の装置。
【請求項１１】
付設の前記通過開口部は、前記室内への直接的な光の放射を防止し且つ前記室内へ拡散光放射を発生させる表面形成部又はカバーを有すること
を特徴とする、請求項１に記載の装置。
【請求項１２】
付設の前記通過開口部の各々は、前記室内への直接的な光の放射を防止し且つ前記室内へ拡散光放射を発生させる表面形成部又はカバーを有すること
を特徴とする、請求項２に記載の装置。
【請求項１３】
付設の前記通過開口部は、光透過性のカバーを有すること
を特徴とする、請求項１に記載の装置。
【請求項１４】
前記光透過性のカバーは、放射された光を均質化するための光拡散器であること
を特徴とする、請求項１３に記載の装置。
【請求項１５】
前記少なくとも１つの光源は、ＬＥＤ、ＯＬＥＤ、レーザダイオード、ナノチューブからなるグループから選択されていること
を特徴とする、請求項１に記載の装置。
【請求項１６】
放射された光の出力強度及び色の少なくとも１つが自動で調節されており、自動で調節可能な光出力強度又は光色が、前記顕微鏡又は前記スタンドの様々な稼動状態又は稼動表示のグループから、特定の稼動状態又は稼動表示に割り当てられており、前記グループが、次の稼動表示、即ち、前記顕微鏡の倍率設定、前記顕微鏡のズーム設定、前記顕微鏡の一対の接眼レンズの視度設定、前記スタンド又は前記顕微鏡のバランシング状態、付属品の稼動スタンバイ状態を含んでいること
を特徴とする、請求項６に記載の装置。
【請求項１７】
前記光出力強度及び光色の少なくとも１つは、前記顕微鏡の倍率設定に対応すること
を特徴とする、請求項１６に記載の装置。
【請求項１８】
前記光出力強度及び光色の少なくとも１つは、前記顕微鏡の接眼レンズの選択された視度設定に対応すること
を特徴とする、請求項１６に記載の装置。
【請求項１９】
前記顕微鏡の非稼動時には前記光色が、殺菌性の又はバクテリアが嫌う光波長の範囲から自動的に選択されること
を特徴とする、請求項１６に記載の装置。
【請求項２０】
前記顕微鏡の一対の接眼レンズは、異なる視度設定に調節可能であり、前記顕微鏡本体又は前記スタンドの２つの異なる外面において２つの異なる光色が放射されること
を特徴とする、請求項１６に記載の装置。
【請求項２１】
前記顕微鏡の複数の稼動状態又は稼動表示は、１つの又は複数の異なる光色により同時に表示可能であること
を特徴とする、請求項１６に記載の装置。
【請求項２２】
センサを含み、該センサは、外部の室内照明の色温度及び光出力強度の少なくとも１つを測定するために配置されており、更に該センサは、該センサからの信号に応じた前記複数の光源により放射される光の光色及び光出力強度の少なくとも１つの適合のために、前記複数の光源に付設された制御電子装置と接続されていること
を特徴とする、請求項１６に記載の装置。
【請求項２３】
前記複数の光源により放射された光の光色は、外部の室内照明に対し、補色関係に適合されていること
を特徴とする、請求項２２に記載の装置。
【請求項２４】
前記顕微鏡は、前記顕微鏡本体の正面部に取り付けられた一対の接眼レンズを含み、前記顕微鏡本体は、前記正面部の反対側に後方部を含み、前記通過開口部は、前記顕微鏡本体の前記後方部における溝穴により定められていること
を特徴とする、請求項１に記載の装置。
【請求項２５】
前記複数の支持アームの１つは、前面端部を有し、前記通過開口部は、該１つの支持アームの前面端部における間隙により定められていること
を特徴とする、請求項１に記載の装置。
【請求項２６】
前記光通過用通過開口部は、上方に向かって配向されていること
を特徴とする、請求項１に記載の装置。
【請求項２７】
前記光通過用通過開口部は、下方に向かって配向されていること
を特徴とする、請求項１に記載の装置。
【請求項２８】
顕微鏡を支持するためのスタンドであって、該スタンドは、
複数の支持アームを含み、該支持アームは、室内での前記顕微鏡の位置決めのために調節可能であり、前記支持アームの少なくとも１つは、内部の中空空間と、該中空空間から前記室への光通過用通過開口部と、該中空空間内に位置決めされた少なくとも１つの光源とを有し、該少なくとも１つの光源は、前記室内へ付設の前記通過開口部を通して外部に向かって光を放射するために配置されており、
対象域照明のための対象域光源を含み、
付設の前記通過開口部は、前記少なくとも１つの光源から放射された光が、前記顕微鏡を通して観察される領域とは別に、該スタンドの外側表面部を間接的に照明するように備え付けられており、
前記通過開口部は、該スタンドにおける間隙又は溝穴として定められていること
を特徴とするスタンド。
【手続補正２】
【補正対象書類名】明細書
【補正対象項目名】００１０
【補正方法】変更
【補正の内容】
【００１０】
本発明の一視点により、顕微鏡本体の内部及び／又はスタンドの内部に少なくとも１つの光源が配置されていて、その光は稼動状態において顕微鏡照明に依存せず通過開口部を通じて外部に向って室内へと放射される。その光は対象域照明には用いられない。
より詳しくは、本発明の第１の視点により、顕微鏡本体を含む顕微鏡と、対象域照明のための対象域光源と、前記顕微鏡が取り付けられているスタンドとを含む装置であって、前記スタンドは、前記顕微鏡を支持するために配置された複数の支持アームを含み、該支持アームは、室内での前記顕微鏡の位置決めのために調節可能であり、前記顕微鏡及び前記スタンドの少なくとも１つは、内部の中空空間と、該中空空間から前記室への光通過用通過開口部と、該中空空間内に位置決めされた少なくとも１つの光源とを含み、該少なくとも１つの光源は、前記室内へ付設の前記通過開口部を通して外部に向かって光を放射するために配置されており、付設の前記通過開口部は、前記少なくとも１つの光源から放射された光が、前記顕微鏡を通して観察される領域とは別に、前記顕微鏡又は前記スタンドの外側表面部を間接的に照明するように備え付けられており、前記通過開口部は、前記顕微鏡本体又は前記スタンドにおける間隙又は溝穴として定められていることを特徴とする装置が提供される。
また本発明の第２の視点により、顕微鏡を支持するためのスタンドであって、該スタンドは、複数の支持アームを含み、該支持アームは、室内での前記顕微鏡の位置決めのために調節可能であり、前記支持アームの少なくとも１つは、内部の中空空間と、該中空空間から前記室への光通過用通過開口部と、該中空空間内に位置決めされた少なくとも１つの光源とを有し、該少なくとも１つの光源は、前記室内へ付設の前記通過開口部を通して外部に向かって光を放射するために配置されており、対象域照明のための対象域光源を含み、付設の前記通過開口部は、前記少なくとも１つの光源から放射された光が、前記顕微鏡を通して観察される領域とは別に、該スタンドの外側表面部を間接的に照明するように備え付けられており、前記通過開口部は、該スタンドにおける間隙又は溝穴として定められていることを特徴とするスタンドが提供される。
【手続補正３】
【補正対象書類名】明細書
【補正対象項目名】００４５
【補正方法】変更
【補正の内容】
【００４５】
本発明の各々の形態を総括して以下に記載する。尚、特許請求の範囲に付記されている図面参照符号は専ら本発明の理解の容易化のためのものであり、本発明を図示の実施例に限定することを意図するものではないことをここで明示する。
（形態１）
顕微鏡本体と、室内での顕微鏡の支持機能又は位置決めを実現するための複数の構成部品からなるスタンドとを備え、顕微鏡本体及びスタンド内に中空空間を備えた顕微鏡であって、顕微鏡本体及び／又はスタンドの少なくとも１つの中空空間内に光源が設けられていて、その光が稼動状態において顕微鏡本体及び／又はスタンドの通過開口部を通じ、これらを取り囲む室内へ放射され、出射する前記光が顕微鏡及び／又はそのスタンドの間接的な外部照明として用いられるように通過開口部が備え付けられていて、少なくとも１つの通過開口部が間隙又は溝穴として顕微鏡本体又はスタンドに形成されていること。
（形態２）
形態１に記載の顕微鏡において、前記光源の光出力及び／又は光色が、好ましくは時間的な経過パターンをもって自動的に、調節可能及び／又は変更可能或いは選択可能であるように前記光源が制御されている或いは制御可能であること。
（形態３）
形態１又は２に記載の顕微鏡において、周りの室内へ放射される前記光が、顕微鏡が配置されている室の好ましくは間接的な照明として用いられるように、前記少なくとも１つの通過開口部が備え付けられていること。
（形態４）
形態１〜３のいずれか一項に記載の顕微鏡において、複数の光源が設けられていて、該光源を用い、照明の光色及び／又は光強度が個別に調節可能及び／又は選択可能であること。
（形態５）
形態１〜４のいずれか一項に記載の顕微鏡において、複数の光源、及び／又は室内へ該光源の光を通過させるための複数の通過開口部が設けられていること。
（形態６）
形態１〜５のいずれか一項に記載の顕微鏡において、当該顕微鏡が手術用顕微鏡又は特に歯科用顕微鏡として形成されていること。
（形態７）
形態１〜６のいずれか一項に記載の顕微鏡において、前記スタンドが可動式の支持アーム又は平行四辺形支持器を含んでいて、これらには各々光源が配置されていて、それらの光が稼動状態において、支持アーム及び平行四辺形支持器における構造上設けられた通過開口部及び間隙を通じ、室内へ放射されること。
（形態８）
形態１〜７のいずれか一項に記載の顕微鏡において、前記少なくとも１つの通過開口部が、室内への直接的な光放射を防止し且つ拡散光放射を発生させる表面形成部又はカバーを有すること。
（形態９）
形態１〜８のいずれか一項に記載の顕微鏡において、前記通過開口部が顕微鏡本体にもスタンドにも形成されていること。
（形態１０）
形態１〜９のいずれか一項に記載の顕微鏡において、前記少なくとも１つの通過開口部が光透過性のカバーを用いて閉じられていること。
（形態１１）
形態１０に記載の顕微鏡において、前記カバーが、光を均質化するための光拡散器として形成されていること。
（形態１２）
形態１〜１１のいずれか一項に記載の顕微鏡において、前記少なくとも１つの光源がＬＥＤ又はＯＬＥＤ又はレーザダイオード又はナノチューブとして形成されていること。
（形態１３）
形態４〜１２のいずれか一項に記載の顕微鏡において、前記光色及び／又は光強度が自動で設定可能であり、自動で設定可能な光色が、顕微鏡又はそのスタンドの様々な稼動状態又は稼動表示のグループから、所定の定義された稼動状態又は稼動表示に割り当てられていて、前記グループが、次の稼動状態又は稼動表示、即ち、顕微鏡の設定倍率、ズーム位置、顕微鏡の接眼レンズの視度設定、センサを用いて測定されたスタンド或いは顕微鏡のバランシング状態、例えばカメラなどの付属品の稼動スタンバイ状態、ＵＶプラスチック硬化光源の稼動スタンバイ状態、ビデオ記録の実行、対象物照明用の照明装置の残りの寿命などを含んでいること。
（形態１４）
形態４〜１３のいずれか一項に記載の顕微鏡において、前記光色及び／又は光強度が顕微鏡の設定倍率に対応すること。
（形態１５）
形態４〜１４のいずれか一項に記載の顕微鏡において、前記光色及び／又は光強度が、顕微鏡の接眼レンズの選択された視度設定に対応すること。
（形態１６）
形態２〜１５のいずれか一項に記載の顕微鏡において、当該顕微鏡の非稼動時、或いは室内に人がいない時には前記光色が、殺菌性の又はバクテリアが嫌う光波長の範囲から自動的に選択されること。
（形態１７）
形態４〜１６のいずれか一項に記載の顕微鏡において、当該顕微鏡が、異なって調節可能な視度調節機能を備えた２つの接眼レンズを有し、及び／又は顕微鏡本体又はスタンドの２つの異なる外面において異なる光色を発生可能であること。
（形態１８）
形態４〜１７のいずれか一項に記載の顕微鏡において、１つの又は複数の異なる光色により同時に顕微鏡の複数の稼動状態又は稼動表示が表示可能であること。
（形態１９）
形態４〜１８のいずれか一項に記載の顕微鏡において、少なくとも１つのセンサが設けられていて、該センサが、外部の室内照明の色温度及び／又は光強度を測定し、前記光源の光色及び／又は光強度を自動で適合させるか、又は光色及び／又は光強度の適合のために、前記光源に割り当てられている制御電子装置へと伝送すること。
（形態２０）
形態４〜１９のいずれか一項に記載の顕微鏡において、発生された前記光色が、周辺部の色に対し、補色関係にあること。
（形態２１）
形態１〜２０のいずれか一項に記載の顕微鏡において、光通過開口部として少なくとも１つの間隙がスタンドに形成されていること。
（形態２２）
形態１〜２１のいずれか一項に記載の顕微鏡において、顕微鏡本体において接眼レンズの反対側の後側面に、光出射のための開いた細隙形状の開口部が配置されていること。
（形態２３）
形態１〜２２のいずれか一項に記載の顕微鏡において、スタンドの支持アームの少なくとも１つの前面端部側において光出射のための間隙が設けられていること。
（形態２４）
形態１〜２３のいずれか一項に記載の顕微鏡において、光通過開口部及び間隙の少なくとも一部が外方及び上方に向かって配向されていること。
（形態２５）
形態１〜２４のいずれか一項に記載の顕微鏡において、光通過開口部及び間隙の少なくとも一部が外方及び下方に向かって配向されていること。